【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
クライアントデバイスのウェブブラウザ内で、プロセスデータの表示を介してプロセスプラントの少なくとも一部を制御し、および／または監視するための方法であって、
前記クライアントデバイスのユーザからの、前記プロセスデータを視認する要求を、前記クライアントデバイスの前記ウェブブラウザを介して受信することと、
前記クライアントデバイスから生じる前記要求であって、前記クライアントデバイスの前記ウェブブラウザからの、サーバに格納されたプロセスデータにアクセスする前記要求を、セキュリティサーバを介して認証することと、
読み取りアクセス、書き込みアクセス、またはサブスクライブアクセスのうちの少なくとも１種を提供するために、前記クライアントデバイスのアクセスセッションを前記認証に基づいて作成することと、
前記要求に基づいて、前記プロセスデータを格納するサーバを、前記クライアントデバイスを介して識別することであって、前記識別されたサーバは、プロセス制御システムから前記プロセスデータを受信することを特徴とする前記識別することと、
前記識別されたサーバから前記プロセスデータを取り出すことと、
前記プロセスデータに埋め込まれ、および／または関連付けられたメタデータに基づいて、前記プロセスデータのデータ型を判断することと、
前記プロセスデータの前記データ型を表示するように構成されたデータフィールドを有するテンプレートの前記データフィールド、および前記アクセスセッションによって提供されるアクセスの型と、前記プロセスデータの前記データ型を相互参照することにより、前記識別されたサーバから受信した前記プロセスデータの前記データ型に基づいて、拡張スタイルシート言語変換テンプレートを、前記クライアントデバイスを介して選択することと、
前記拡張スタイルシート言語変換テンプレート、前記データ型、および前記プロセスデータに基づいて、ウェブ閲覧フォーマットに適合し且つ前記クライアントデバイスの前記ウェブブラウザを介して前記プロセスデータをどのように表示するかを特定する表示ファイルを、前記クライアントデバイスを介して生成することと、
前記クライアントデバイスの前記ユーザが、前記クライアントデバイスの前記ウェブブラウザを介して前記プロセス制御システムの少なくとも一部を制御および／または監視できるようにすることと、
を含む、方法。
【請求項２】
前記表示ファイルを生成することは、
前記拡張スタイルシート言語変換テンプレートを前記プロセスデータと組み合わせることと、
前記組み合わせられた拡張スタイルシート言語変換テンプレートおよび前記プロセスデータを、前記ウェブ閲覧フォーマットに変換することと、
を含む、請求項１に記載の方法。
【請求項３】
前記拡張スタイルシート言語変換テンプレートを前記プロセスデータと組み合わせることは、
前記拡張スタイルシート言語変換テンプレート内のパラメータを識別することと、
前記パラメータに対応する前記プロセスデータの部分を識別することと、
前記パラメータを、前記プロセスデータの前記対応する部分に参照することと、
を含む、請求項２に記載の方法。
【請求項４】
前記パラメータを参照することは、前記プロセスデータの前記部分を前記対応するパラメータに埋め込むことを含む、
請求項３に記載の方法。
【請求項５】
前記プロセスデータのプロパティに基づいて前記表示ファイルをレンダリングすることと、
前記表示ファイルを前記ウェブブラウザに伝送することと、
をさらに含む、請求項１〜請求項４のいずれか１項に記載の方法。
【請求項６】
前記ウェブ閲覧フォーマットは、ハイパーテキストマークアップ言語に適合する、
請求項１〜請求項５のいずれか１項に記載の方法。
【請求項７】
前記プロセスデータの前記要求を送信した前記クライアントデバイスの種類に基づいて、前記拡張スタイルシート言語変換テンプレートを選択することと、
前記クライアントデバイスの種類の表示領域に適合するように、前記表示ファイルを生成することと、
をさらに含む、請求項１〜請求項６のいずれか１項に記載の方法。
【請求項８】
クライアント表示アプリケーションに、前記表示ファイルにアクセスおよび前記表示ファイルを表示させる命令を、前記ウェブブラウザに送信することをさらに含む、
請求項１〜請求項７のいずれか１項に記載の方法。
【請求項９】
前記拡張スタイルシート言語変換テンプレートを選択することは、
プロパティに基づいて、拡張マークアップ言語テンプレートを選択することと、
前記拡張マークアップ言語テンプレートを前記拡張スタイルシート言語変換テンプレートに変換することと、
を含む、請求項１〜請求項８のいずれか１項に記載の方法。
【請求項１０】
前記拡張スタイルシート言語変換テンプレートは、前記プロセスデータをどのように表示するかについて定義する電子デバイス記述言語ファイルに基づいて生成される、
請求項１〜請求項９のいずれか１項に記載の方法。
【請求項１１】
クライアントデバイスのウェブブラウザ内で、プロセスデータの表示を介してプロセスプラントの少なくとも一部を制御し、および／または監視するための装置であって、
前記クライアントデバイスから生じる要求であって、前記クライアントデバイスのウェブブラウザからの、サーバに格納されたプロセスデータにアクセスする前記要求を、セキュリティサーバを介して認証し、
読み取りアクセス、書き込みアクセス、またはサブスクライブアクセスのうちの少なくとも１種を提供するために、前記クライアントデバイスのアクセスセッションを前記認証に基づいて作成し、
プロセス制御システムから前記プロセスデータを受信し且つ前記クライアントデバイスのユーザによって要求された前記プロセスデータを格納するサーバを識別し、
前記要求および前記アクセスの型に基づいて、前記識別されたサーバの前記プロセスデータにアクセスする、
ためのアダプタと、
前記プロセスデータに埋め込まれ、および／または関連付けられたメタデータに基づいて、前記プロセスデータのデータ型を判断し、
１）前記プロセスデータの要求を送信した前記クライアントデバイスの画面サイズと、２）複数のテンプレートのうち、前記プロセスデータのプロパティを表示するように構成されたデータフィールドを有する、対応するテンプレート内のデータフィールドと前記メタデータを相互参照することによって得られる前記プロセスデータの前記データ型と、に基づいてテンプレートを選択し、前記プロセスデータに定期的または連続的にアクセスして前記データフィールド内のプロパティを更新する、
ためのデータプロセッサと、
前記テンプレート、前記データ型および前記プロセスデータに基づいて、ウェブ閲覧フォーマットに適合し且つクライアントアプリケーションを介して前記クライアントデバイスの前記ウェブブラウザ内で前記プロセスデータをどのように表示するかについて特定する表示ファイルを生成し、前記クライアントデバイスの前記ユーザが、前記クライアントデバイスの前記ウェブブラウザを介して前記プロセス制御システムの少なくとも一部を制御および／または監視できるようにする、
ためのウェブベースインターフェースと、
を備える、装置。
【請求項１２】
前記ウェブベースインターフェースは、
前記テンプレートを前記プロセスデータと組み合わせることと、
前記組み合わせられた前記テンプレートおよび前記プロセスデータを、前記クライアントアプリケーションに関連付けられたフォーマットに変換することと、
によって、前記表示ファイルを生成する、
請求項１１に記載の装置。
【請求項１３】
前記ウェブベースインターフェースは、
前記テンプレート内のパラメータを識別することと、
前記パラメータに対応する前記プロセスデータの部分を識別することと、
前記パラメータを、前記プロセスデータの前記対応する部分に参照することと、
によって、前記テンプレートを前記プロセスデータと組み合わせる、
請求項１２に記載の装置。
【請求項１４】
前記ウェブベースインターフェースは、前記プロセスデータの前記部分を前記パラメータに埋め込むことによって、前記パラメータを参照する、
請求項１３に記載の装置。
【請求項１５】
前記ウェブベースインターフェースは、
前記プロセスデータのプロパティに基づいて前記表示ファイルをレンダリングし、
前記表示ファイルを前記クライアントアプリケーションに伝送する、
請求項１１から請求項１４のいずれか１項に記載の装置。
【請求項１６】
前記ウェブベースインターフェースは、プロセスデータを視認する要求を、前記クライアントアプリケーションから受信する、
請求項１１から請求項１５のいずれか１項に記載の装置。
【請求項１７】
前記データプロセッサは、前記要求を送信した機器の種類に基づいて、前記テンプレートを選択し、
前記ウェブベースインターフェースは、前記選択されたテンプレートに基づいて、前記機器の表示領域に適合するように、前記表示ファイルを生成する、
請求項１１から請求項１６のいずれか１項に記載の装置。
【請求項１８】
前記ウェブベースインターフェースは、前記クライアントアプリケーションに、前記表示ファイルにアクセスおよび前記表示ファイルを表示させる命令を、前記クライアントアプリケーションに送信する、
請求項１１から請求項１７のいずれか１項に記載の装置。
【請求項１９】
前記データプロセッサは、
前記プロパティに基づいて、拡張マークアップ言語（ＸＭＬ）テンプレートを選択することと、
前記ＸＭＬテンプレートを拡張スタイルシート言語変換（ＸＳＬＴ）テンプレートに変換することと、
によって、前記ＸＳＬＴテンプレートを選択する、
請求項１１から請求項１８のいずれか１項に記載の装置。
【請求項２０】
前記データプロセッサは、前記プロセスデータをどのように表示するかについて記述する電子デバイス記述言語（ＥＤＤＬ）ファイルから前記テンプレートを生成する、
請求項１１から請求項１９のいずれか１項に記載の装置。
【請求項２１】
命令が格納される機械アクセス可能媒体であって、
実行時に、少なくとも、
プロセスデータを視認する要求を、クライアントデバイスのユーザからウェブブラウザを介して受信することと、
前記クライアントデバイスから生じる前記要求であって、前記クライアントデバイスの前記ウェブブラウザからの、サーバに格納されたプロセスデータにアクセスする前記要求を、セキュリティサーバを介して認証することと、
読み取りアクセス、書き込みアクセス、またはサブスクライブアクセスのうちの少なくとも１種を提供するために、前記クライアントデバイスのアクセスセッションを前記認証に基づいて作成することと、
前記要求に基づいて、前記プロセスデータを格納するサーバを、前記クライアントデバイスによって識別することであって、前記識別されたサーバは、プロセス制御システムから前記プロセスデータを受信し、相互運用性データパッキングフォーマットを介して前記プロセスデータを通信する、前記識別することと、
前記クライアントデバイスによって、前記識別されたサーバから前記プロセスデータを取り出すことと、
前記プロセスデータに埋め込まれ、および／または関連付けられたメタデータに基づいて、前記プロセスデータのデータ型を判断することと、
前記プロセスデータの前記データ型を表示するように構成されたデータフィールドを有するテンプレートの前記データフィールド、および前記アクセスセッションによって提供されるアクセスの型と、前記プロセスデータの前記データ型および前記プロセスデータを相互参照することにより、前記プロセスデータの前記データ型に基づいて、拡張スタイルシート言語変換テンプレートを、前記クライアントデバイスによって選択することと、
前記拡張スタイルシート言語変換テンプレート、プロパティ、および前記プロセスデータに基づいて、ウェブ閲覧フォーマットに適合し且つ前記クライアントデバイスの前記ウェブブラウザを介して前記プロセスデータをどのように表示するかを特定する表示ファイルを、前記クライアントデバイスによって生成することと、
前記クライアントデバイスの前記ユーザが、前記クライアントデバイスの前記ウェブブラウザを介して前記プロセス制御システムの少なくとも一部を制御および／または監視できるようにすることと、
を機械にさせる、機械アクセス可能媒体。
【請求項２２】
前記機械がアクセス可能な命令は、実行時に、
前記拡張スタイルシート言語変換テンプレートを前記プロセスデータと組み合わせることと、
前記組み合わせられた拡張スタイルシート言語変換テンプレートおよび前記プロセスデータを、前記ウェブ閲覧フォーマットに変換することと、
によって、前記機械に前記表示ファイルを生成させる、
請求項２１に記載の機械アクセス可能媒体。
【請求項２３】
前記機械がアクセス可能な命令は、実行時に、
前記拡張スタイルシート言語変換テンプレート内のパラメータを識別することと、
前記パラメータに対応する前記プロセスデータの部分を識別することと、
前記パラメータを、前記プロセスデータの前記対応する部分に参照することと、
によって、前記機械に、前記拡張スタイルシート言語変換テンプレートを前記プロセスデータと組み合わせさせる、
請求項２２に記載の機械アクセス可能媒体。
【請求項２４】
前記機械がアクセス可能な命令は、実行時に、
前記プロセスデータの前記要求を送信した前記クライアントデバイスの種類に基づいて、前記拡張スタイルシート言語変換テンプレートを選択することと、
前記選択された拡張スタイルシート言語変換テンプレートに基づいて、前記クライアントデバイスの表示領域に適合するように、前記表示ファイルを生成することと、
を、前記機械にさせる、
請求項２１に記載の機械アクセス可能媒体。